(57)【特許請求の範囲】
【請求項１】
導電パターンが形成された基板と、前記導電パターンの接続部に接続される金属板製の複数の端子と、これら端子にアウトサート成形された合成樹脂製の保持体とを備え、
前記端子は前記基板を挾持するクリップ部と該クリップ部から延びる脚片とを同一平面内に有し、これら端子をその板面が互いに対向するように前記保持体に保持し、
前記保持体に前記基板の表裏両面に対向する複数の規制突起を設けたことを特徴とする端子取付け構造。
【請求項２】
導電パターンが形成された基板と、前記導電パターンの接続部に接続される金属板製の複数の端子と、これら端子にアウトサート成形された合成樹脂製の保持体とを備え、
前記端子は前記基板を挾持するクリップ部と該クリップ部から延びる脚片とを同一平面内に有し、これら端子をその板面が互いに対向するように前記保持体に保持し、
前記保持体に前記複数の端子の両側に位置するスナップ片を設け、これらスナップ片を前記基板の両側縁にそれぞれ係止したことを特徴とする端子取付け構造。
【請求項３】
請求項２の記載において、前記基板を支持する枠体を備え、この枠体に前記スナップ片の拡がりを防止する規制部を設けたことを特徴とする端子取付け構造。
【請求項４】
請求項３の記載において、前記規制部が前記枠体をプリント基板上に自立させる自立脚であることを特徴とする端子取付け構造。
【請求項５】
導電パターンが形成された基板と、前記導電パターンの接続部に接続される金属板製の複数の端子と、これら端子にアウトサート成形された合成樹脂製の保持体とを備え、
前記端子は前記基板を挾持するクリップ部と該クリップ部から延びる脚片とを同一平面内に有し、これら端子をその板面が互いに対向するように前記保持体に保持し、
前記クリップ部が前記基板の一面に当接する剛体片と前記基板の他面に弾接する弾性片とで構成されていることを特徴とする端子取付け構造。
【発明の詳細な説明】
【０００１】
【発明の属する技術分野】
本発明は、可変抵抗器等の電気部品に備えられる基板への端子取付け構造に係り、特に、クリップ状の端子を用いた端子取付け構造に関する。
【０００２】
【従来の技術】
例えば可変抵抗器においては、基板の表面に抵抗体と集電体が形成され、この基板上を摺動子が移動することにより、抵抗体と集電体の端部から抵抗値の変化が検出されるようになっており、基板には抵抗体と集電体の端部に接続される複数の端子が取付けられている。従来より、このような端子の取付け構造として、端子を基板に鳩目かしめや半田付けしたものが知られているが、これらは作業性に難点があり自動化に不向きである。また、これらの鳩目かしめや半田付け作業を不要にした端子取付け構造として、実開平２−１１８９０２号公報に記載されているように、クリップ状の端子を用いたものが知られている。
【０００３】
図９はかかるクリップ状端子を用いた従来の端子取付け構造を示す分解斜視図、図１０は該端子取付け構造の断面図である。これらの図に示すように、基板１の表面には抵抗パターン２と集電パターン３が同心円状に形成されており、これら抵抗パターン２と集電パターン３の端部にＡｇ等の導電性材料からなる接続部２ａ，３ａが塗布されている。各接続部２ａ，３ａにはそれぞれ端子４が接続されており、これら端子４は基板１を挾持する弾性片４ａと該弾性片４ａから後方へ延びる脚片４ｂとを有し、弾性片４ａと脚片４ｂは金属板から一体形成されている。弾性片４ａは３つの部分に分岐され、中央の弾性片４ａと両側２つの弾性片４ａとは互いに反対方向へ折曲げられており、全体的にクリップ状に形成されている。そして、各端子４のクリップ状の弾性片４ａを基板１に嵌め込むと、両側２つの弾性片４ａが接続部２ａ（または３ａ）に弾接し、中央の弾性片４ａが基板１の裏面に弾接するため、各端子４は対応する接続部２ａ（または３ａ）に電気的に接続した状態で基板１に取付けられる。
【０００４】
【発明が解決しようとする課題】
ところで、基板１に取付けられる端子４は接続部２ａ，３ａの数分だけ必要であり、単品の端子４を基板１に１本ずつ取付けると作業性が悪いため、必要とされる全ての端子４を予めアウトサート成形にて保持体に一体化し、一度に全ての端子４を基板１に取付けることが要望されている。
【０００５】
しかしながら、前述した従来の端子取付け構造では、基板１を挾持する端子４のクリップ部が、脚片４ｂの先端を互いに反対方向へ折曲げた３つの弾性片４ａで構成された複雑な形状をしているため、端子４を成形用金型に供給して保持体をアウトサート成形することが困難であった。また、各弾性片４ａの板面が基板１の表面または裏面に弾接しているため、各弾性片４ａの幅寸法を小さくするのに限界があり、しかも、各弾性片４ａは互い違いに折曲げられてクリップ状に形成されているため、端子４全体の幅寸法を小さくすることが困難で、接続部２ａ，３ａの狭ピッチ化に対応できないという問題があった。
【０００６】
【課題を解決するための手段】
本発明は、端子を平板状に形成してクリップ部と脚片とを同一平面内に位置させ、このような端子をそれぞれの板面が互いに対向するように垂直に並べて保持体に保持させることとする。このように構成すると、保持体をアウトサート成形する際に、成形用金型の型閉めまたは型開き方向に対して端子のクリップ部が邪魔にならず、必要とされる全ての端子を予めアウトサート成形にて保持体に一体化させることができる。また、各端子を基板へ取付けた状態で、各端子と基板の板面は略直交するため、接続部の狭ピッチ化に対応することができる。
【０００７】
【発明の実施の形態】
本発明の端子取付け構造では、導電パターンが形成された基板と、前記導電パターンの接続部に接続される金属板製の複数の端子と、これら端子にアウトサート成形された合成樹脂製の保持体とを備え、前記端子は前記基板を挾持するクリップ部と該クリップ部から延びる脚片とを同一平面内に有し、これら端子をその板面が互いに対向するように前記保持体に保持した。このように構成すると、必要とされる全ての端子を一度に基板へ取付けることができると共に、接続部の狭ピッチ化に対応することができ、さらに、端子を金属平板の打ち抜き加工によって簡単に形成することができる。
【０００８】
前記基板は可変抵抗器や各種スイッチ等の回路基板として用いることができ、例えば可変抵抗器の場合は抵抗基板であり、各種スイッチの場合はスイッチ基板である。また、前記導電パターンの本数は必要に応じて適宜増減することができ、例えば抵抗基板の場合は、導電パターンである抵抗パターンと集電パターンの組を、抵抗回路の連数に応じて適宜増減することができる。
【０００９】
前記クリップ部は脚片と同一平面内に形成されていればどのような形状でも良いが、特に、クリップ部を剛体片とこれに対向する弾性片とで構成すると、端子と基板とが剛体片を基準に位置決めされるため、各端子と基板との相対的な位置精度を高めることができる。
【００１０】
また、前記保持体に基板の表裏両面に対向する複数の規制突起を設けると、基板と保持体との相対的な位置ずれが規制突起によって防止されるため、端子のクリップ部に無理な力が加わらず、良好な接触状態を維持することができる。
【００１１】
また、前記保持体に複数の端子の両側に位置するスナップ片を設け、これらスナップ片を基板の両側縁にそれぞれ係止すると、各端子の取付け作業が簡単になると共に、保持体と端子および基板の相対位置が変わらないため、接触の信頼性を高めることができる。
【００１２】
また、前記基板を支持する枠体を備え、この枠体に前記スナップ片の拡がりを防止する規制部を設けると、外力によって保持体が基板から脱落することを防止することができる。この規制部は専用のものでも良いが、枠体をプリント基板上に自立させる自立脚を規制部として利用すると、規制部の機械的強度を高めることができると共に、構造の複雑化を防止することができる。
【００１３】
【実施例】
実施例について図面を参照して説明すると、図１は実施例に係る可変抵抗器の断面図、図２は該可変抵抗器の正面図、図３は該可変抵抗器に備えられる基板と端子の取付け状態を示す正面図、図４は該端子の正面図、図５は該端子のばね特性を示す説明図、図６は該端子を一体化した保持体の平面図、図７は該保持体の正面図、図８は該保持体の成形用金型を示す断面図である。
【００１４】
図１と図２に示すように、実施例に係る可変抵抗器は、金属板製の枠体１０と、枠体１０に回転可能に支承された合成樹脂製の操作体１１と、操作体１１にクリック感触を付与するクリックばね１２と、操作体１１に取付けられた摺動子板１３と、枠体１０に固定された基板１４と、基板１４に取付けられた複数本の端子１５と、これら端子１５を保持する合成樹脂製の保持体１８とで主に構成されている。
【００１５】
枠体１０の側面には内方へ突出するストッパ１０ａが形成されており、この側面を介して対向する一面は開放し、その開放端から一対の自立脚１０ｂが突出している。また、枠体１０の他面には円筒状の軸受部１０ｃが突出形成されると共に、内部にリング状のクリックばね１２が係止されている。操作体１１には円柱状の軸部１１ａと該軸部１１ａより大径の受部１１ｂとが一体成形されており、軸部１１ａは軸受部１０ｃから枠体１０の外方へ突出している。受部１１ｂの先端には小径の突起１１ｃが形成されており、突起１１ｃは基板１４に穿設された円孔１４ａに嵌合している。受部１１ｂに実施例では２枚の摺動子板１３がかしめ等の手段で固定されており、各摺動子板１３にはそれぞれ２つの摺動子片１３ａが形成されている。操作体１１は枠体１０の軸受部１０ｃと基板１４の円孔１４ａをガイド部として回転可能であるが、受部１１ｂの周面に形成された図示せぬ突起がストッパ１０ａに当接することにより、その回転角度は３６０度以内に規制されている。また、操作体１１の回転操作時に、クリックばね１２の凸部が受部１１ｂに形成された凹部（いずれも図示省略）と係脱することにより、クリック感触が生起される。
【００１６】
図３に示すように、基板１４の表面には抵抗パターン１６と集電パターン１７が印刷されており、実施例では２連用として２本の抵抗パターン１６と２本の集電パターン１７が形成されている。これら抵抗パターン１６と集電パターン１７は円孔１４ａを中心として同心円状に配置されており、外側２つの抵抗パターン１６と集電パターン１７上を一方の摺動子板１３に形成された２つの摺動子片１３ａがそれぞれ摺動し、内側２つの抵抗パターン１６と集電パターン１７上を他方の摺動子板１３に形成された２つの摺動子片１３ａがそれぞれ摺動する。各抵抗パターン１６と集電パターン１７は基板１４の縁部まで引き回されており、それらの端部にＡｇ等の導電性材料からなる接続部１６ａ，１７ａが形成されている。各接続部１６ａ，１７ａにはそれぞれ端子１５が接続されており、後述するように各端子１５は基板１４に取付けられている。各端子１５はアウトサート成形により合成樹脂製の保持体１８に一体化されており、この保持体１８は両側のスナップ片１８ａを用いて基板１４に固定されている。なお、基板１４は枠体１０の開放面にかしめ等の適宜手段で固定されるが、図２に示すように、保持体１８のスナップ片１８ａの外側に枠体１０の自立脚１０ｂが位置しているため、スナップ片１８ａが外側へ拡がることはなく、保持体１８および各端子１５の基板１４からの脱落が防止されている。
【００１７】
図４に示すように、前記端子１５はリン青銅等の弾性に富む金属平板をプレスで打ち抜き加工することによって形成されており、クリップ部を構成するＬ字状の剛体片１５ａおよび弾性片１５ｂと、このクリップ部から直線的に延びる脚片１５ｃとを有している。なお、プレス後の端子１５には、切断面を含む全面に錫メッキ等のメッキ処理が施され、接触の信頼性と良好な半田付け性が確保されている。これら剛体片１５ａと弾性片１５ｂおよび脚片１５ｃの各板面は同一平面内にあり、端子１５の輪郭は全て切断面となっている。弾性片１５ｂは途中の反転部で方向転換され、その先端が所定の間隔を存して剛体片１５ａと対向しており、この間隔は基板１４の厚さ寸法よりも小さく設定されている。したがって、この弾性片１５ｂは全体的に小型でありながら、その基端から先端までのばねスパンは十分に長く設定されている。
【００１８】
図６と図７に示すように、複数の端子１５はそれぞれの板面が互いに対向するよう垂直に並べられた状態でアウトサート成形され、剛体片１５ａと弾性片１５ｂの接続部分が保持体１８に埋設されることで、各端子１５は保持体１８に一体的に保持されている。この保持体１８にはその両端に前記スナップ片１８ａが一体成形されると共に、実施例では４本の規制用突起１８ｂが立設されており、また、各端子１５の配列ピッチは各接続部１６ａ，１７ａの配列ピッチとほぼ同じに設定されている。これら突起１８ｂのうち、外側２つの突起１８ｂと内側２つの突起１８ｂとの間には基板１４の板厚と同程度、またはそれよりも若干広めのスペースが確保されている。
【００１９】
図８に示すように、前記保持体１８の成形用金型は上型２０と下型２１を備えており、上型２０にはその型開き方向に沿って複数の溝２０ａが設けられ、これら溝２０ａはパーティングラインＰＬに達している。したがって、保持体１８のアウトサート成形時に、各端子１５のクリップ部は溝２０ａ内に収納され、上型２０の型閉めおよび型開き方向に対して邪魔にならないため、上型２０と下型２１を図６の一点鎖線で示すパーティングラインＰＬで突き合わせることにより、各端子１５を一体化した保持体１８を成形することができる。なお、実施例では上型２０にのみ溝２０ａが設けられているが、弾性片１５ｂとの当接を回避するための溝を下型２１に設けても良い。
【００２０】
このように保持体１８に一体化された各端子１５を基板１４に取付けるのに際しては、各端子１５の剛体片１５ａと弾性片１５ｂとの間に基板１４を嵌め込み、保持体１８の両スナップ片１８ａを基板１４に固定する。これにより、剛体片１５ａの切断面が基板１４の裏面に当接すると共に、弾性片１５ｂが撓んで基板１４の表面に弾接するため、端子１５は対応する接続部１６ａ（または１７ａ）に電気的に接続した状態で基板１４に取付けられ、また、接続部１６ａ，１７ａ以外の部位で基板１４が保持体１８の各突起１８ｂ間に嵌め込まれる。その際、基板１４は弾性片１５ｂの撓みに伴う反力で剛体片１５ａの切断面に圧接され、この方向に対して剛体片１５ａは十分に大きな剛性を有して変形しないため、基板１４と端子１５の相対位置は剛体片１５ａを基準に正確に位置決めされる。しかも、基板１４の表裏両面に各突起１８ｂが対向しているため、基板１４を変形させるような外力が作用したとしても、その変形は各突起１８ｂによって防止されるため、各端子１５のクリップ部（剛体片１５ａと弾性片１５）には無理な力が加わらず、良好な接触状態を維持することができる。また、端子１５の各部は平坦状に形成され、その板厚方向の切断面が接続部１６ａ，１７ａの配列方向に沿って露出するため、基板１４と各端子１５の板面は互いに略直交した状態で取付けられ、接続部１６ａ，１７ａの狭ピッチ化に対応することができる。なお、このように弾性片１５ｂが撓むと、その曲げ応力は弾性片１５ｂの反転部に集中するため、端子１５を打ち抜き加工する際に、原材料である金属平板の圧延方向を図４の矢印Ａ−Ａ方向に設定している。
【００２１】
図５は前記端子１５の原材料として板厚が０．３ｍｍのリン青銅板を用いた場合のばね特性を示す説明図であり、横軸は弾性片１５ｂの撓み量、縦軸は弾性片１５ｂの圧力を示している。同図から明らかなように、弾性片１５ｂは使用高さである０．２ｍｍの撓み量で約１５０ｇの圧力を生じ、実用上問題とならない程度の接点圧を得ることができる。
【００２２】
上記の如く構成された可変抵抗器は、図１に示すように、一対の自立脚１０ｂを用いてプリント基板１９上に実装され、各端子１５の脚片１５ｃはプリント基板１９の図示せぬランド部に半田付けされる。この状態で操作体１１を回転操作すると、両摺動子板１３の各摺動子片１３ａが対応する抵抗パターン１６と集電パターン１７上を摺動し、その摺動位置に応じた抵抗値の変化が各端子１５を介して検出される。
【００２３】
なお、端子１５のクリップ部の形状は上記実施例に限定されず、種々の変形例を採用することが可能であり、例えば、剛体片１５ａと弾性片１５ｂを同様の形状にし、基板１４の表裏両面に端子１５のクリップ部を弾接させるようにしても良い。
【００２４】
また、上記実施例では、操作体１１がプリント基板１９に対して水平なホリゾンタルタイプの可変抵抗器を例示して説明したが、端子１５の脚片１５ｃを直角に曲げれば、操作体１１がプリント基板１９に対して垂直なバーチカルタイプの可変抵抗器にも適用することができる。
【００２５】
【発明の効果】
本発明は、以上説明したような形態で実施され、以下に記載されるような効果を奏する。
【００２６】
導電パターンが形成された基板と、前記導電パターンの接続部に接続される金属板製の複数の端子と、これら端子にアウトサート成形された合成樹脂製の保持体とを備え、前記端子は前記基板を挾持するクリップ部と該クリップ部から延びる脚片とを同一平面内に有し、これら端子をその板面が互いに対向するように前記保持体に保持すると、必要とされる全ての端子を保持体に一体化できるため、各端子を基板へ取付ける作業が簡単になると共に、接続部の狭ピッチ化に対応することができ、さらに、端子を金属平板の打ち抜き加工によって簡単に形成することができる。
【００２７】
また、前記クリップ部を剛体片とこれに対向する弾性片とで構成すると、端子と基板とが剛体片を基準に位置決めされるため、各端子と基板との相対的な位置精度を高めることができる。
【００２８】
また、前記保持体に基板の表裏両面に対向する複数の規制突起を設けると、基板と保持体との相対的な位置ずれが規制突起によって防止されるため、端子のクリップ部に無理な力が加わらず、良好な接触状態を維持することができる。
【００２９】
また、前記保持体に複数の端子の両側に位置するスナップ片を設け、これらスナップ片を基板の両側縁にそれぞれ係止すると、各端子の取付け作業が簡単になると共に、保持体と端子および基板の相対位置が変わらないため、接触の信頼性を高めることができる。
【００３０】
また、前記基板を支持する枠体を備え、この枠体に前記スナップ片の拡がりを防止する規制部を設けると、外力によって保持体が基板から脱落することを防止することができる。この規制部は専用のものでも良いが、枠体をプリント基板上に自立させる自立脚を規制部として利用すると、規制部の機械的強度を高めることができると共に、構造の複雑化を防止することができる。
【図面の簡単な説明】
【図１】実施例に係る可変抵抗器の断面図である。
【図２】該可変抵抗器の正面図である。
【図３】該可変抵抗器に備えられる基板と端子の取付け状態を示す正面図である。
【図４】該端子の正面図である。
【図５】該端子のばね特性を示す説明図である。
【図６】該端子を一体化した保持体の平面図である。
【図７】該保持体の正面図である。
【図８】該保持体の成形用金型を示す断面図である。
【図９】従来の端子取付け構造を示す分解斜視図である。
【図１０】該端子取付け構造の断面図である。
【符号の説明】
１０  枠体
１０ｂ  自立脚
１４  基板
１５，２０  端子
１５ａ，２０ａ  剛体片
１５ｂ，２０ｂ  弾性片
１５ｃ，２０ｃ  脚片
１６  抵抗パターン
１７  集電パターン
１６ａ，１７ａ  接続部
１８  保持体
１８ａ  スナップ片
１８ｂ  突起
１９  プリント基板
２０  上型
２０ａ  溝
２１  下型
【図１】
0003566483.tif 000002
【図２】
0003566483.tif 000003
【図３】
0003566483.tif 000004
【図４】
0003566483.tif 000005
【図５】
0003566483.tif 000006
【図６】
0003566483.tif 000007
【図７】
0003566483.tif 000008
【図８】
0003566483.tif 000009
【図９】
0003566483.tif 000010
【図１０】
0003566483.tif 000011